(57)【要約】      （修正有）【課題】容器の内容物からの発生ガスを採取するために、ガス測定器用のプローブの針を容器のガス採取部を貫通した後、針を抜く場合にガス採取部が容器の壁から脱落しない、ガス組成測定用の容器、密閉容器内ガス組成測定用キット、および密閉容器内ガス組成測定方法を提供する。【解決手段】支持固定部１と、前記支持固定部１の厚み方向に貫通して支持固定部に固定されたガス採取部２とで構成された容器内ガス測定用キットであって、前記容器の壁には、くりぬき部分が形成されており、前記ガス採取部が容器の壁のくりぬき部分から露出するように、前記支持固定部１が、容器の壁の側面に、固定され、前記ガス採取部にガス測定器用のプローブの針が貫通されることを特徴とする密閉容器内ガス組成測定用キットとする。【選択図】図１
2014174053.tif 000002
【特許請求の範囲】
【請求項１】
支持固定部と、
前記支持固定部の厚み方向に配置されたガス採取部とで構成された密閉容器内ガス測定用キットと、
容器とで構成されるガス組成測定用の容器であって、
前記容器の壁には、くりぬき部分が形成されており、
前記ガス採取部が容器の壁のくりぬき部分から露出するように、前記支持固定部が、容器の側面に固定されており、
前記容器内にて、内容物を密封して包装するビニール袋の内、前記密閉容器内ガス測定用キットの支持固定部と対向するビニール袋の一部が、両面接着テープによって接着されていることを特徴とするガス組成測定用の容器。
【請求項２】
前記箱内の内容物が、りんご、あるいは農産物であることを特徴とする請求項１項記載のガス組成測定用の容器。
【請求項３】
支持固定部と、
前記支持固定部の厚み方向に貫通して支持固定部に固定されたガス採取部とで構成された容器内ガス測定用キットであって、
前記容器の壁には、くりぬき部分が形成されており、
前記ガス採取部が容器の壁のくりぬき部分から露出するように、前記支持固定部が、容器の壁の側面に、固定され、
前記ガス採取部にガス測定器用のプローブの針が貫通されることを特徴とする密閉容器内ガス組成測定用キット。
【請求項４】
前記箱には、内容物を包装するビニール袋が配置され、前記ビニール袋での、前記支持固定部と対向するビニール袋の部分が、両面接着テープによって前記支持固定部に接着されていることを特徴とする請求項３記載の密閉容器内ガス組成測定用キット。
【請求項５】
前記ガス採取部は、材質をシリコン系ゴムとし、外径の大きな採取側部と、外径の小さな内側部とが組み合わされた２段型の円柱形状であることを特徴とする請求項３または４記載の密閉容器内ガス測定用キット。
【請求項６】
支持固定部と、
前記支持固定部の厚み方向に配置されたガス採取部と、
容器とで構成する密閉容器内ガス組成測定方法であって、
前記支持固定部を、容器の側面に固定し、
前記容器の壁に、くりぬき部分を形成し、
前記ガス採取部の一方を、前記容器の壁のくりぬき部分から露出させ、
前記容器の内容物の包装用にビニール袋にて、前記密閉容器内ガス測定用キットの支持固定部と対向するビニール袋の一部を前記支持固定部に接着し、
前記ガス採取部および前記内装ビニール袋が、ガス測定器用のプローブによって貫通され、
前記ガス測定器用のプローブが、包装箱内の内容物が発生するガスを定期的に、採取することを特徴とする密閉容器内ガス組成測定方法。
【発明の詳細な説明】
【技術分野】
【０００１】
本発明は、ガス組成測定用の容器、密閉容器内ガス組成測定用キット、および密閉容器内ガス組成測定方法に関する。
【背景技術】
【０００２】
従来から、容器内から、内容物が発生するガスを採取して、そのガスの組成を分析する方法については、各種公開されている。
【０００３】
特許文献１には、密封容器内に保管した岩石が発生する内部のガスを、ガス採取孔から採取してガス組成を分析するガス採取容器について開示されている。ガス採取容器は、密閉容器と、密閉容器の開口部に設けられたシール部材とで構成されている。ガスを採取する採取部材の針が、前記シール部材を貫通してガスを採取する。
特許文献２には、外容器内に入れられた人体の手から発生するガスを採取するために、ガスの入出口を有するガス採取装置について開示されている。ここで、外容器の内側には採取容器があり、外容器と採取容器との間に、流動物質を流して、外気からのガスの侵入を防いでいる。
【０００４】
図５は、従来のガス組成測定用の容器の図である。図５のガス組成測定用の容器は、容器６０の壁に中空穴３０ａが開けられ、容器６０の外部から、ガス採取部２ａが、前記中空穴３０ａ内に押し込まれて固定された構造である。前記容器６０の材質は、発泡スチロールであり、ガス採取部２ａの材質は、シリコン系ゴムが使用される。容器６０の内部には、内容物を収納しているビニール袋４ａが収納されている。ここで、ガス組成測定器用のプローブ２０の針２１が、前記ガス採取部２ａを貫通し、さらにビニール袋４ａを貫通し、穴９０が開けられ、ビニール袋４ａの中の内容物が発生するガスが採取される。
【先行技術文献】
【特許文献】
【０００５】
【特許文献１】特開２０１０−１８５８１０号公報
【特許文献２】特開２０１２−１９３９９３号公報
【発明の概要】
【発明が解決しようとする課題】
【０００６】
従来の図５のガス組成測定用の容器には、以下の問題点があった。即ち、容器６０の材質が、発泡スチロールであるために、ガス採取部２ａの容器６０の中空穴３０ａに対する圧入による固定力が弱く、ガス測定器用のプローブの針２１がガス採取部２ａを貫通した後、針２１を抜く時に、ガス採取部２ａが中空穴３０ａから脱落するという問題点があった。
更に、ガス測定器用のプローブの針２１をガス採取部２ａを貫通する場合、内容物を収納しているビニール袋４ａには、穴９０が開くが、前記穴９０からガスが漏れ、ガス採取部２ａと中空穴３０ａの間に隙間があるために、前記ガスが外部に漏れるという問題点があった。
【０００７】
特許文献１では、ガス採取容器が、高価であって、一般の農産物などの流通物の発生するガス採取に使用するのは、困難であるという問題点があった。特許文献２では、人体の手からの発生ガスを採取する装置であって、農産物、たとえば複数のりんごを対象とすることはできないという問題点があった。
【０００８】
本発明の課題は、容器の内容物からの発生ガスを採取するために、ガス測定器用のプローブの針を容器のガス採取部を貫通した後、針を抜く場合にガス採取部が容器の壁から脱落しないガス組成測定用の容器、密閉容器内ガス組成測定用キット、および密閉容器内ガス組成測定方法を提供することである。
【課題を解決するための手段】
【０００９】
本発明の請求項１に係る発明は、支持固定部と、前記支持固定部の厚み方向に配置されたガス採取部とで構成された密閉容器内ガス測定用キットと、容器とで構成されるガス組成測定用の容器であって、前記容器の壁には、くりぬき部分が形成されており、前記ガス採取部が容器の壁のくりぬき部分から露出するように、前記支持固定部が、容器の側面に固定されており、前記容器内にて、内容物を密封して包装するビニール袋の内、前記密閉容器内ガス測定用キットの支持固定部と対向するビニール袋の一部が、両面接着テープによって接着されていることを特徴とするガス組成測定用の容器である。
【００１０】
本発明の請求項２に係る発明は、前記箱内の内容物が、りんご、あるいは農産物であることを特徴とする請求項１項記載のガス組成測定用の容器である。
【００１１】
本発明の請求項３に係る発明は、支持固定部と、前記支持固定部の厚み方向に貫通して支持固定部に固定されたガス採取部とで構成された容器内ガス測定用キットであって、
容器の壁には、くりぬき部分が形成されており、前記ガス採取部が前記容器の壁のくりぬき部分から露出するように、前記支持固定部が、容器の壁の側面に、固定され、
前記ガス採取部にガス測定器用のプローブの針が貫通されることを特徴とする密閉容器内ガス組成測定用キットである。
【００１２】
本発明の請求項４に係る発明は、前記容器には、内容物を包装するビニール袋が配置され、前記ビニール袋での、前記支持固定部と対向するビニール袋の部分が、両面接着テープによって前記支持固定部に接着されていることを特徴とする請求項３記載の密閉容器内ガス組成測定用キットである。
【００１３】
本発明の請求項５に係る発明は、前記ガス採取部は、材質をシリコン系ゴムとし、外径の大きな採取側部と、外径の小さな内側部とが組み合わされた２段型の円柱形状であることを特徴とする請求項３または４記載の密閉容器内ガス測定用キットである。
【００１４】
本発明の請求項６に係る発明は、支持固定部と、前記支持固定部の厚み方向に配置されたガス採取部と、容器とで構成する密閉容器内ガス組成測定方法であって、前記支持固定部を、容器の側面に固定し、前記容器の壁に、くりぬき部分を形成し、前記ガス採取部の一方を、前記容器の壁のくりぬき部分から露出させ、前記容器の内容物の包装用にビニール袋にて、前記密閉容器内ガス測定用キットの支持固定部と対向するビニール袋の一部を前記支持固定部に接着し、前記ガス採取部および前記内装ビニール袋が、ガス測定器用のプローブによって貫通され、前記ガス測定器用のプローブが、包装箱内の内容物が発生するガスを採取することを特徴とする密閉容器内ガス組成測定方法である。
【発明の効果】
【００１５】
請求項１，２のガス組成測定用の容器によれば、容器の内容物からの発生ガスを採取するために、ガス測定器用のプローブの針を容器のガス採取部を貫通した後、針を抜く場合にガス採取部が容器の壁から脱落しない、また、内容物を一般的な農産物にも対応できる実用性のあるガス組成測定用の容器を提供することができる。
【００１６】
請求項２、３、４の密閉容器内ガス測定用キットによれば、試験用の容器を一部加工して、簡単に取り付けが可能であり、ガス測定器用のプローブの針を安定に注入できる、ガス測定器用のプローブの針を容器のガス採取部を貫通した後、針を抜く場合にガス採取部が容器の壁から脱落しない実用性のある密閉容器内ガス測定用キットを提供することができる。
【００１７】
請求項６の密閉容器内ガス測定方法によれば、試験用の容器を一部加工して、簡単に取り付けが可能である、ガス測定器用のプローブの針を安定に注入できる、ガス測定器用のプローブの針を容器のガス採取部を貫通した後、針を抜く場合にガス採取部が容器の壁から脱落しない実用性のある密閉容器内ガス測定方法を提供することができる。
【００１８】
本発明によれば、容器の内容物からの発生ガスを採取するために、ガス測定器用のプローブの針を容器のガス採取部を貫通した後、針を抜く場合にガス採取部が容器の壁から脱落しないガス組成測定用の容器、密閉容器内ガス組成測定用キット、および密閉容器内ガス組成測定方法を提供することができる。
【図面の簡単な説明】
【００１９】
【図１】本発明の実施例１の密閉容器内ガス組成測定用キットの斜視図。
【図２】本発明の実施例１の密閉容器内ガス組成測定用キットの断面図であり、容器のくりぬき部分との接着前の位置関係を示す図。
【図３】本発明の実施例２のガス組成測定用の容器の斜視図。
【図４】本発明でのガス組成測定用プローブの針にて、ガス組成測定用の容器内の内容物が発生するガスを採取している状態の図。
【図５】従来のガス組成測定用の容器の図。
【発明を実施するための形態】
【００２０】
本発明の実施の形態にかかる密閉容器内ガス測定方法は、支持固定部１と、前記支持固定部１の厚み方向に貫通して配置されたガス採取部２と、容器６とで構成する密閉容器内ガス組成測定方法であって、前記支持固定部１を、容器６の側面に固定し、前記容器６の壁に、くりぬき部分３０を形成し、前記ガス採取部２の一方を、前記容器６の壁のくりぬき部分３０から露出させ、前記容器の内容物の包装用にビニール袋４にて、前記密閉容器内ガス測定用キット１０の支持固定部１と対向するビニール袋４の部分を前記支持固定部１に接着し、前記ガス採取部１および前記内装ビニール袋４が、ガス測定器用のプローブ２０の針２１によって貫通され、前記ガス測定器用のプローブ２０が、容器内の内容物が発生するガスを定期的に、採取することを特徴とする密閉容器内ガス組成測定方法である。
【００２１】
本発明の実施の形態にかかる密閉容器内ガス測定用キットは、支持固定部１と、前記支持固定部１の厚み方向に貫通して支持固定部１に固定されたガス採取部２とで構成された容器内ガス測定用キットであって、前記容器の壁には、くりぬき部分３０が形成されており、前記ガス採取部２が容器の壁のくりぬき部分３０から露出するように、前記支持固定部１が、容器６の壁の側面に、第１の両面テープ３によって固定され、前記ガス採取部２にガス測定器用のプローブの針２１が貫通される。容器６には、内容物を包装するビニール袋４が配置され、前記ビニール袋４での、前記支持固定部１と対向するビニール袋４の部分が、第２の両面接着テープ５によって前記支持固定部１に接着されている。
【００２２】
ここで、前記ガス採取部２は、材質をシリコン系ゴムとすることを特徴とし外径の大きな採取側部２aと、外径の小さな内側部２ｂとが組み合わされた２段型の円柱形状であるが、かならずしも２段型の円柱形状に限らず、他の形状、例えば単純な円柱形状でも良い。また、前記包装箱内の内容物が、農産物であり、特に、りんご７であることを特徴とする。
【００２３】
本発明の実施の形態にかかる密閉容器内ガス測定方法は、支持固定部１と、前記支持固定部１の厚み方向に貫通して配置されたガス採取部２と、容器６とで構成する密閉容器内ガス組成測定方法であって、前記支持固定部１を、容器６の側面に固定し、前記容器６の壁に、くりぬき部分３０を形成し、前記ガス採取部２の一方を、前記容器６の壁のくりぬき部分３０から露出させ、前記容器の内容物の包装用にビニール袋４にて、前記密閉容器内ガス測定用キット１０の支持固定部１と対向するビニール袋４の部分を前記支持固定部１に接着し、前記ガス採取部１および前記内装ビニール袋４が、ガス測定器用のプローブ２０の針２１によって貫通され、前記ガス測定器用のプローブ２０が、容器内の内容物が発生するガスを採取する。
【実施例】
【００２４】
本発明のガス組成測定用の容器、密閉容器内ガス組成測定用キット、および密閉容器内ガス組成測定方法の実施例について説明する。
【００２５】
（実施例１）
図１は、実施例１の密閉容器内ガス組成測定用キットの斜視図であり、また、図２は、実施例１の密閉容器内ガス組成測定用キットの断面図であり、容器６のくりぬき部分３０との接着前の位置関係を示す図である。図１にて、密閉容器内ガス測定用キット１０は、支持固定部１と円筒状のガス採取部２とで構成された形状であり、あらかじめ支持固定部１に開けられた貫通穴に、ガス採取部２を圧入して固定して形成されている。ここで、前記支持固定部１の材質は、前記支持固定部１にあらかじめ開けられた中空穴に、ガス採取部２が圧入された後に固定強度が、針２１を抜く時にガス採取部２に加わる力よりも大となることが重要である。従って、例えば支持固定部１は、樹脂、例えばＡＢＳ樹脂などが使用される。支持固定部１の寸法は、１００ｍｍ×７０ｍｍ×２．０ｍｍ（厚み）としているが、この寸法には限られない。
ここで、ガス採取部２が、支持固定部１に圧入された後、ガス採取部２の端部が、支持固定部１の平面より突出していることが望ましい。固定支持部１とガス採取部２との固定強度を保つためである。
【００２６】
ガス採取部２は、ガス測定器用のプローブの針２１が貫通する程度の柔らかさを有し、かつ、針２１が抜かれたあと、貫通時の穴が塞がれれるような弾性を有する材質であることが重要である。本実施例では、ガス採取部２の材質をシリコンゴムとしており、外径の大きな採取側部２ａと、外径の小さな内側部２ｂとが組み合わされた２段型の円柱形状である。ここで、図２の密閉容器内ガス組成測定用キットの断面図に示すように、ガス採取部２の内側部２ｂが、支持固定部１の厚み方向に貫通して、密閉容器内ガス組成測定用キット１０が構成されている。
【００２７】
前記ガス採取部２の採取側部２ａの外径は、約７．２ｍｍであり、前記ガス採取部２の内側部２ｂの外径は、約５．６ｍｍに設定され、ガス採取部２の全体の長さは、７．９ｍｍとしている。
【００２８】
密閉容器内ガス組成測定用キット１０は、容器に取り付けられている。ここでは容器内には、ビニール袋４が配置されていて、内容物である農産物７が、前記ビニール袋４に入れられて密封状態で包装されている。
図２は、本実施例の密閉容器内ガス組成測定用キットの断面図であり、容器６のくりぬき部分３０との接着前の位置関係を示す図である。ここで、４は、容器６において、りんごなどの農産物を包装しているビニール袋であって、容器６の内部全体にわたる大きさを有している。図２に表示しているビニール袋４は、密閉容器内ガス組成測定用キット１０の支持板１に密着している部分のビニール袋であって、第２の両面接着テープ５によって、支持板１とビニール袋４とは、密着状態が保たれている。前記第２の両面接着テープについては、ニチバン社製のナイスタックＮＷ−１５を使用した。
【００２９】
（実施例２）
図３は、実施例２のガス組成測定用の容器の斜視図である。また、図４は、ガス組成測定用プローブ２０の針２１にて、ガス組成測定用の容器内の内容物が発生するガスを採取する状態の図である。
図３にて、容器６の側面に密閉容器内ガス測定用キット１０が取り付けられており、これは、容器６の側面に密閉容器内ガス測定用キット１０のガス採取部２の採取側部２ａが、容器６の壁に開けられたくりぬき部分３０がら露出するように、密閉容器内ガス測定用キット１０の支持部１の側面に、発泡スチロール両面接着テープが貼られて、容器６の壁に固定されている状態である。
【００３０】
また、容器６の内側には、りんご７を包装するビニール袋４が配置されていて、ビニール袋４にて、前記密閉容器内ガス測定用キット１０の支持板１の領域と接近する領域のビニール袋４が、第２の両面接着テープ５によって、支持板１と接着されて、気密性を保持している。
【００３１】
図４は、ガス組成測定用プローブ２０の針２１にて、容器６内のりんご７が発生する炭酸ガス、エチレンガスなどを採取する状態の図である。内容物であるりんご７が、ビニール袋４に包まれて包装された状態である。前記りんご７が発生するガスを測定するために、図４に示すように、外部のガス組成分析機のガス組成測定器用のプローブ２０の針２１が密閉容器内ガス測定用キット１０ガス採取部２を貫通してガスを採取する。この場合、針２１は、更に、第２の両面接着テープ５の効果にて、ビニール袋４が支持固定部１に密着しているので、ビニール袋４を、安定して貫通することができる。
更なる効果として、前記第２の両面接着テープ５の効果にて、ビニール袋４と支持固定部１の間は、気密性が確保されており、従って、従来の問題点であった、ビニール袋からの漏れたガスが、外部へ漏れ出すことは防止される。
【００３２】
本実施例２の図４の容器６内のガスを採取する方法によれば、ガス測定器用のプローブの針２１をガス採取部２を貫通して採取するので、何回貫通しても、容器６の気密性を保持することができる。従来の問題点、即ち、ガス測定器用のプローブの針を容器のガス採取部を貫通した後、針を抜く場合にガス採取部が容器の壁から脱落するという問題点が解決された。
【産業上の利用可能性】
【００３３】
本発明によれば、試験用の容器を一部加工することによって、簡単に取り付けが可能であって、所定の時刻にて、前記包装箱内の内容物から発生するガスを抜き取り、分析が可能なガス組成測定用の容器、密閉容器内ガス組成測定用キット、および密閉容器内ガス組成測定方法を提供でき、産業の発展に大きく寄与する。
【符号の説明】
【００３４】
１    支持固定部
２    ガス採取部
２ａ  採取側部２ａ
２ｂ  内側部２ｂ
３    第１の両面接着テープ
４、４ａ    ビニール袋
５    第２の両面接着テープ
６、６０        容器
７        りんご
１０    密閉容器内ガス測定用キット
２０    ガス組成測定器用のプローブ
２１    針
３０    くりぬき部分
３０ａ  中空穴
４０    密閉容器内ガス測定用キットを、容器に接合する方向
９０    ビニール袋に開けられた穴
【図１】
2014174053.tif 000003
【図２】
2014174053.tif 000004
【図３】
2014174053.tif 000005
【図４】
2014174053.tif 000006
【図５】
2014174053.tif 000007